【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
セリシン抽出天然フィブロイン繊維を含む1つまたは複数の個々のヤーンを含む、布。
【請求項２】
フィブロイン繊維が生体適合性であり且つ生分解性である、請求項1記載の布。
【請求項３】
複数のヤーンが、絡み合わされて2次元メッシュが形成される、請求項1記載の布。
【請求項４】
ヤーンが、織り加工、編み加工、またはスティッチボンド加工により絡み合わされた、請求項1記載の布。
【請求項５】
編み加工がたて編み加工によるものである、請求項4記載の布。
【請求項６】
引張破壊強度、線形剛性、降伏点、および破断伸び、およびそれらの組合せからなる群より選択される、軟部組織の1つまたは複数の生物機械特性を有する、請求項1記載の布。
【請求項７】
引張破壊強度、線形剛性、降伏点、および破断伸び、およびそれらの組合せからなる群より選択される、身体壁部の結合組織の1つまたは複数の生物機械特性を有する、請求項1記載の布。
【請求項８】
身体壁部が胸壁である、請求項7記載の布。
【請求項９】
身体壁部の結合組織が靭帯または腱である、請求項7記載の布。
【請求項１０】
引張破壊強度、線形剛性、降伏点、および破断伸び、およびそれらの組合せからなる群より選択される、臓器を支持する結合組織の1つまたは複数の生物機械特性を有する、請求項1記載の布。
【請求項１１】
臓器を支持する結合組織が靭帯または腱である、請求項10記載の布。
【請求項１２】
1つまたは複数のヤーンが、Bombyx mori種のカイコから得たフィブロイン繊維を含む、請求項1記載の布。
【請求項１３】
非免疫原性である、請求項1記載の布。
【請求項１４】
フィブロイン繊維のセリシン含有量が、質量比20%未満である、請求項1記載の布。
【請求項１５】
フィブロイン繊維のセリシン含有量が、質量比10%未満である、請求項1記載の布。
【請求項１６】
フィブロイン繊維のセリシン含有量が、質量比1%未満である、請求項1記載の布。
【請求項１７】
1つまたは複数のヤーンが、並列のまたは絡み合わせたフィブロイン繊維を含む、請求項1記載の布。
【請求項１８】
1つまたは複数のヤーンが、ブレード、テクスチャード加工ヤーン、ツイストヤーン、ケーブルヤーン、またはその組合せである、請求項1記載の布。
【請求項１９】
セリシン抽出フィブロイン繊維が、1cm当たり撚り数0〜11.8回で互いにツイスト加工またはケーブル加工されている、請求項18記載の布。
【請求項２０】
1つまたは複数のヤーンが、ヤーンを形成する並列または絡み合わせた繊維の1つまたは複数のグループを含む単層の階層構造を有する、請求項1記載の布。
【請求項２１】
繊維が、ツイスト加工または織り加工によって絡み合わされてグループを形成する、請求項20記載の布。
【請求項２２】
1つまたは複数のヤーンが、グループを絡み合わせた1つまたは複数のバンドルを含む2層の階層構造を有し、グループが、並行または絡み合わせた繊維を含む、請求項1記載の布。
【請求項２３】
グループが、ツイスト加工または織り加工によって絡み合わされてバンドルを形成する、請求項22記載の布。
【請求項２４】
1つまたは複数のヤーンが、バンドルを絡み合わせた1つまたは複数のストランドを含む3層の階層構造を有し、バンドルが、絡み合わせたグループを含み、グループが、並行または絡み合わせた繊維を含む、請求項1記載の布。
【請求項２５】
バンドルが、ツイスト加工または織り加工によって絡み合わされてストランドを形成する、請求項24記載の布。
【請求項２６】
1つまたは複数のヤーンが、ストランドを絡み合わせた1つまたは複数のコードを含む4層の階層構造を有し、ストランドが、絡み合わせたバンドルを含み、バンドルが、絡み合わせたグループを含み、グループが、並行または絡み合わせた繊維を含む、請求項1記載の布。
【請求項２７】
ストランドが、ツイスト加工または織り加工によって絡み合わされてコードを形成する、請求項26記載の布。
【請求項２８】
1つまたは複数のヤーンが、1インチ当たり撚り数30回以下でツイスト加工されている、請求項1記載の布。
【請求項２９】
1つまたは複数のヤーンが、セリシン抽出フィブロインの繊維と、コラーゲン、ポリ乳酸もしくはそのコポリマー、ポリグリコール酸もしくはそのコポリマー、ポリ無水物、エラスチン、グリコサミノグリカン、および多糖からなる群より選択される1つまたは複数の分解性ポリマーとの複合体を含む、請求項1記載の布。
【請求項３０】
コーテッドファブリック、ドビー、積層布、またはこれらの組合せである、請求項1記載の布。
【請求項３１】
薬剤をさらに含む、請求項1記載の布。
【請求項３２】
細胞接着因子をさらに含む、請求項1記載の布。
【請求項３３】
細胞接着因子が、RGDである、請求項32記載の布。
【請求項３４】
1つまたは複数のヤーンがガスプラズマで処理される、請求項1記載の布。
【請求項３５】
布に播種された生体細胞をさらに含む、請求項1記載の布。
【請求項３６】
結合組織の1つまたは複数の生物機械特性を有する布を、埋植した布由来の結合組織の成長に適した生理学的環境を提供する解剖学的位置で個体に埋植する段階を含む、個体において結合組織を作製する方法であって、布が、セリシン抽出天然フィブロイン繊維から構成される1つまたは複数の個々のヤーンから構成される、方法。
【請求項３７】
複数のヤーンが、絡み合わされて2次元メッシュが形成される、請求項36記載の方法。
【請求項３８】
1つまたは複数の生物機械特性が、引張破壊強度、線形剛性、降伏点、および破断伸び、およびそれらの組合せからなる群より選択される、請求項36記載の方法。
【請求項３９】
1つまたは複数の個々のヤーンが、ヤーンを形成する並列または絡み合わせた繊維のグループを含む単層の階層構造を有する、請求項36記載の方法。
【請求項４０】
1つまたは複数の個々のヤーンが、グループを絡み合わせたバンドルを含む2層の階層構造を有する方法であって、グループが、並列または絡み合わせた繊維を含む、請求項36記載の方法。
【請求項４１】
1つまたは複数の個々のヤーンが、バンドルを絡み合わせたストランドを含む3層の階層構造を有する方法であって、バンドルが、絡み合わせたグループを含み、グループが、並列または絡み合わせた繊維を含む、請求項36記載の方法。
【請求項４２】
1つまたは複数の個々のヤーンが、ストランドを絡み合わせたコードを含む4層の階層構造を有する方法であって、ストランドが、絡み合わせたバンドルを含み、バンドルが、絡み合わせたグループを含み、グループが、並列または絡み合わせた繊維を含む、請求項36記載の方法。
【請求項４３】
布が筋肉内に埋植される、請求項36記載の方法。
【請求項４４】
布が、損傷組織を置換または修復するために個体に埋植される、請求項36記載の方法。
【請求項４５】
結合組織が靭帯または腱である、請求項36記載の方法。
【請求項４６】
布が、身体壁部の結合組織の1つまたは複数の生物機械特性を有し、且つ身体壁部の位置で個体に埋植される、請求項36記載の方法。
【請求項４７】
布が、胸壁の結合組織の1つまたは複数の生物機械特性を有し、且つ胸壁の位置で個体に埋植される、請求項36記載の方法。
【請求項４８】
布が、臓器を支持する結合組織の1つまたは複数の生物機械特性を有し、且つ臓器を位置付けるまたは支持するために個体に埋植される、請求項36記載の方法。
【請求項４９】
布が、皮下または筋肉内に埋植される、請求項46記載の方法。
【請求項５０】
布が、損傷組織を置換または修復するために個体に埋植される、請求項46記載の方法。
【請求項５１】
布が、靭帯または腱の1つまたは複数の生物機械特性を有する、請求項46記載の方法。
【請求項５２】
請求項1記載の布を組織と接触させて埋植し、それにより個体内で組織を支持する段階を含む、個体において組織を支持するための方法。
【請求項５３】
布が、身体壁部の位置で個体に埋植される、請求項52記載の方法。
【請求項５４】
布が、個体の胸郭に埋植される、請求項52記載の方法。
【請求項５５】
布が、個体の臓器を固定するために埋植される、請求項52記載の方法。
【請求項５６】
布が手術後に個体に埋植される、請求項52記載の方法。
【請求項５７】
埋植する段階が、張力をかけることなく、縫合、ステープル留め、接着、および留置する段階からなる群より選択される、請求項52記載の方法。
【請求項５８】
請求項1記載の布を腔に埋植する段階を含む、個体の体腔を充填する方法。
【請求項５９】
布が、手術後に個体に埋植される、請求項58記載の方法。
【請求項６０】
埋植する段階が、張力をかけることなく、縫合、ステープル留め、接着、および留置する段階からなる群より選択される、請求項58記載の方法。
【請求項６１】
請求項1記載の布を損傷領域と接触させて埋植する段階を含む、手術後に対象の損傷領域を強化する方法。
【請求項６２】
損傷領域が臓器を含む、請求項61記載の方法。
【請求項６３】
埋植する段階が、張力をかけることなく、縫合、ステープル留め、接着、および留置する段階からなる群より選択される、請求項61記載の方法。
【請求項６４】
軟部組織の1つまたは複数の生物機械特性を有する布を個体の身体内に埋植する段階を含む、個体の身体内の軟部組織を作製する方法であって、布が、セリシン抽出天然フィブロイン繊維から構成される1つまたは複数の個々のヤーンを含む、方法。
【請求項６５】
生体適合性で生分解性のセリシン抽出天然フィブロイン繊維から構成される1つまたは複数の個々のヤーンを含む、胸部を修復または支持するための布であって、ヤーンが絡み合わされて2次元メッシュが形成される、布。